(57)【要約】
【課題】　ショルダーバッグやその他の被搬送物の携行に用い、肩への重量感を軽減した肩掛け用ストラップ及びショルダーバッグを提供する。
【解決手段】　スポンジゴム等の摩擦性の高い伸縮性部材からなる肩掛け部４と、ナイロン編組ベルト等の伸縮性の低い部材で構成されて肩掛け部に連結され、その端部に加えられる荷重を肩掛け部に作用させる吊り部６、８とを備え、肩掛け部４をゴムベルト等の伸縮性部材で構成し、肩への重量感を軽減している。
【選択図】　　　　図２
0003099104.tif 000002
【実用新案登録請求の範囲】
【請求項１】
摩擦性の高い伸縮性部材からなる肩掛け部と、
　伸縮性の低い部材で構成されて前記肩掛け部に連結され、その端部に加えられる荷重を前記肩掛け部に作用させる吊り部と、
　を備えたことを特徴とする肩掛け用ストラップ。
【請求項２】
スポンジゴムで形成された異なる長さの２枚のゴムベルトからなる肩掛け部と、
　伸縮性の低い部材で構成され、その端部を前記ゴムベルトの端部側に挟み込んで連結され、自由端部に加えられる荷重を前記肩掛け部に作用させる吊り部と、
　を備えたことを特徴とする肩掛け用ストラップ。
【請求項３】
前記肩掛け部は、スポンジゴムで形成された異なる長さの複数のゴムベルトであることを特徴とする請求項１記載の肩掛け用ストラップ。
【請求項４】
前記肩掛け部は、異なる長さの２枚のベルトで構成し、各ベルトを平行に重ね合わせてなることを特徴とする請求項１記載の肩掛け用ストラップ。
【請求項５】
前記肩掛け部は、異なる長さの２枚のベルトで構成し、各ベルトに縒りを付加してなることを特徴とする請求項１記載の肩掛け用ストラップ。
【請求項６】
前記吊り部は、合成繊維からなる編組帯で構成したことを特徴とする請求項１又は２記載の肩掛け用ストラップ。
【請求項７】
前記吊り部の端部にフックを備えたことを特徴とする請求項１又は２記載の肩掛け用ストラップ。
【請求項８】
前記吊り部にその長さを調節する長さ調節部を備えたことを特徴とする請求項１又は２記載の肩掛け用ストラップ。
【請求項９】
請求項１ないし請求項８記載の肩掛け用ストラップを備えたことを特徴とするショルダーバッグ。
【考案の詳細な説明】
【技術分野】
【０００１】
　本考案は、ショルダーバッグ等に用いられる肩掛け用ストラップに関する。
【背景技術】
【０００２】
　ショルダーバッグは、携行性に優れ、収容部の容積を大きくすれば、収容量を拡大でき、実用性を向上させることができる。収容量を高めると、ユーザの肩に加わる荷重が増大し、携行性が損なわれる。そこで、ショルダーバッグに用いられる肩掛け用ストラップに関し、種々の改善が成されている。
【０００３】
　肩掛け用ストラップに関連する先行文献には、次のようなものがある。
【特許文献１】実用新案登録第３０２８５３３号公報
【特許文献２】実用新案登録第３０２９８６３号公報
【０００４】
　特許文献１には、キャディバッグ用ショルダーベルトについて、その一部に伸縮部を備えたものが開示されている。
【０００５】
　また、特許文献２には、滑り止め付帯について、肩当て部に滑り止めとしてシリコンからなる複数個の突起を設けることが開示されている。
【考案の開示】
【考案が解決しようとする課題】
【０００６】
　ところで、特許文献１に開示されているキャディバッグ用ショルダーベルトでは、肩当て部が伸縮しないため、ユーザの肩に剛性の高い肩当て部から荷重が作用し、違和感を伴う。また、特許文献２に開示された滑り止め付帯では、滑り止めの効果が得られるにすぎない。
【０００７】
　そこで、本考案は、ショルダーバッグやその他の被搬送物の携行に用い、肩への重量感を軽減した肩掛け用ストラップを提供することを目的とする。
【０００８】
　また、本考案の他の目的として、上記肩掛け用ストラップを用いたショルダーバッグを提供することにある。
【課題を解決するための手段】
【０００９】
　上記目的を達成するため、本考案の肩掛け用ストラップは、摩擦性の高い伸縮性部材からなる肩掛け部４と、伸縮性の低い部材で構成されて前記肩掛け部に連結され、その端部に加えられる荷重を前記肩掛け部に作用させる吊り部６、８とを備えたことを特徴とする。
【００１０】
　バッグや被搬送物から吊り部に加えられた荷重はその吊り部から肩掛け部に作用する。肩掛け部は摩擦性の高い伸縮性部材からなる構成であるから、ユーザの肩に密着し、荷重の作用に対する異物感がない。しかも、摩擦性の高い伸縮性部材であるため、ユーザの被服と肩掛け部が一体化し、荷重作用との遊離感が解消される。この結果、重量感が軽減される。
【００１１】
　上記目的を達成するため、本考案の肩掛け用ストラップは、スポンジゴムで形成された異なる長さの２枚のゴムベルト１６、１８からなる肩掛け部４と、伸縮性の低い部材で構成され、その端部を前記ゴムベルトの端部側に挟み込んで連結され、自由端部に加えられる荷重を前記肩掛け部に作用させる吊り部６、８とを備えたことを特徴とする。
【００１２】
　上記目的を達成するためには、前記肩掛け部は、スポンジゴムで形成された異なる長さの複数のゴムベルトからなる構成としてもよい。
【００１３】
　上記目的を達成するためには、前記肩掛け部は、異なる長さの２枚のベルトで構成し、各ベルトを平行に重ね合わせてなる構成としてもよい。
【００１４】
　上記目的を達成するためには、前記肩掛け部は、異なる長さの２枚のベルトで構成し、各ベルトに縒りを付加した構成としてもよい。
【００１５】
　上記目的を達成するためには、前記吊り部は、合成繊維からなる編組帯（ナイロン編組ベルト２０）で構成してもよい。
【００１６】
　上記目的を達成するためには、前記吊り部の端部にフック１２、１４を備えた構成としてもよい。
【００１７】
　上記目的を達成するためには、前記吊り部にその長さを調節する長さ調節部（長さ調節具１０）を備えた構成としてもよい。
【００１８】
　上記目的を達成するため、本考案のショルダーバッグは、上記肩掛け用ストラップを備えた構成である。
【考案の効果】
【００１９】
　以上述べたように、本考案の肩掛け用ストラップによれば、バッグ等の各種の被搬送物等の携行に用いて重量感を軽減できるとともに、肩掛け用ストラップ自体の軽量化も図ることができる。
【００２０】
　また、斯かる肩掛け用ストラップを用いたショルダーバッグによれば、キャディバッグ等のショルダーバッグの携行性、利便性を高めることができる。
【考案を実施するための最良の形態】
【００２１】
　本考案の肩掛け用ストラップの実施形態について、図１ないし図５を参照して説明する。図１は実施形態に係る肩掛け用ストラップを示す平面図、図２はその側面図、図３は長さ調節部を示す側面図、図４は肩掛け用ストラップ及びショルダーバッグを示す斜視図、図５は使用状態を示す図である。
【００２２】
　この肩掛け用ストラップ２は、図１及び図２に示すように、肩掛け部４、吊り部６、８、長さ調節具１０及びフック１２、１４を備えている。
【００２３】
　肩掛け部４は、摩擦性の高い伸縮性部材として例えば、スポンジゴムで構成され、この実施形態では、長さの異なる２枚のゴムベルト１６、１８で構成され、ゴムベルト１８が肩当て側、ゴムベルト１６がその外側に配置される。この場合、２枚のゴムベルト１６、１８の各端部を合致させ、その間に吊り部６、８を構成する非伸縮性部材である合成繊維編組帯、例えば、ナイロン編組ベルト２０が挟み込まれ、複数のリベット２２を貫通させてその端部の加締めにより連結されている。この場合、ゴムベルト１６、１８側にはナイロン編組ベルト２０と同一材料からなる補強部材２４が併設され、ゴムベルト１６、１８の固定部分が補強されている。ゴムベルト１６、１８は長さが異なっているため、弛緩状態ではゴムベルト１６側が撓んだ状態となる。
【００２４】
　吊り部６側には、長さ調節具１０を介して吊り部６の一部を構成するナイロン編組ベルト２６が取り付けられ、このナイロン編組ベルト２６の端部にはリング２８を介してフック１２が回動自在に取り付けられている。また、吊り部８側のナイロン編組ベルト２０の端部には、リング３０を介してフック１４が回動自在に取り付けられている。この場合、ナイロン編組ベルト２０の端部は折り返されて複数のリベット３２で固定されている。
【００２５】
　長さ調節具１０は、図３に示すように、調節具本体３４の上面に長さを調節すべきナイロン編組ベルト２０の面部に接触する突部３６を備え、この突部３６と直交方向に一定の間隔を設けて平行に形成された支持壁部３８に回動ロック片４０を回動可能に取り付けたものである。回動ロック片４０には、ハンドル部４２が設けられているとともに、支持突部４３を支持壁部３８の軸受孔４５に回転可能に支持させるとともに、支持突部４３と直交する回動部４４にロック突部４６が形成されている。調節具本体３４の固定部４８には、ナイロン編組ベルト２６が折り返されて屈曲可能に固定されている。そして、ハンドル部４２は、支持軸３８を中心に矢印Ａ、Ｂ方向に回動させ、ナイロン編組ベルト２０のロック及びその解除を行うことができる。即ち、ハンドル部４２を矢印Ａ方向に回動してナイロン編組ベルト２０側に密着させた場合、長さ調節具１０にナイロン編組ベルト２０がロックされ、ハンドル部４２を矢印Ｂ方向に回動すると、ロックが外れ、ナイロン編組ベルト２０の長さ調節が可能になる。
【００２６】
　斯かる肩掛け用ストラップ２によれば、例えば、図４に示すように、バッグ本体５０に取り付けられた吊りリング５２、５４に肩掛け用ストラップ２のフック１２、１４を取り付ければ、ショルダーバッグ５６を構成することができる。
【００２７】
　そして、図５に示すように、肩掛け部４をユーザの肩に掛けて用いれば、肩掛け部４を構成するゴムベルト１６、１８がユーザの肩を覆う被服５８に密着し、ショルダーバッグ５６がずれ落ちることがないばかりか、ゴムベルト１６、１８が持つ弾性により、ユーザの肩に掛かる荷重による重量感を軽減することができる。
【００２８】
　この場合、図６の（Ａ）に示すように、肩掛け部４のゴムベルト１６、１８を互いに開いて肩に当てれば、肩と肩掛け部４との密着面積が拡大し、重量感をより軽減することができる。
【００２９】
　上記実施形態に代え、図６の（Ｂ）に示すように、各ゴムベルト１６、１８に縒りを加えて吊り部６、８に固定してもよい。即ち、ゴムベルト１６、１８の一方の端部の重なりを交互にすることにより、肩と肩掛け部４との密着面積が拡大した肩掛け部４を構成することができる。
【００３０】
　なお、上記実施形態の場合、長さ調節具１０は吊り部６側に設置したが、図７に示すように、肩掛け部４側にバックル６０を設けて長さ調節を可能にしてもよい。
【００３１】
　なお、実施形態では、被搬送物としてバッグ本体５０を例に取って説明したが、肩掛け用ストラップ２を用いて搬送する被搬送物としては、バッグ以外の荷物であってもよい。また、本考案のショルダーバッグには、キャディバッグ等、肩掛け用ストラップを用いるバッグのすべてを包含するものである。
【産業上の利用可能性】
【００３２】
　本考案によれば、バッグや被搬送物からユーザの肩に加わる荷重による重量感を軽減でき、利便性の高い肩掛け用ストラップ又はショルダーバッグを提供でき、有用である。
【図面の簡単な説明】
【００３３】
【図１】本考案の肩掛け用ストラップの実施形態を示す平面図である。
【図２】本考案の肩掛け用ストラップの実施形態を示す側面図である。
【図３】長さ調節部を示す側面図である。
【図４】本考案の肩掛け用ストラップ及びショルダーバッグを示す斜視図である。
【図５】肩掛け用ストラップの使用状態を示す図である。
【図６】本考案の他の実施形態に係る肩掛け用ストラップを示す斜視図である。
【図７】本考案の他の実施形態に係る肩掛け用ストラップを示す側面図である。
【符号の説明】
【００３４】
　２　肩掛け用ストラップ
　４　肩掛け部
　６、８　吊り部
　１０　長さ調節具（長さ調節部）
　１２、１４　フック
　１６、１８　ゴムベルト
　２０　ナイロン編組ベルト（編組帯）
【図１】
0003099104.tif 000003
【図２】
0003099104.tif 000004
【図３】
0003099104.tif 000005
【図４】
0003099104.tif 000006
【図５】
0003099104.tif 000007
【図６】
0003099104.tif 000008
【図７】
0003099104.tif 000009